(57)【要約】【課題】  電子マネーカードおよびポイントカードの機能を有するＩＣカードとＰＯＳレジスタとを連動させた代金精算システムにおいて、電子マネーによる決済処理の時間が短縮化される代金精算システムを提供する。【解決手段】  第１および第２カード読取端末１０ａ，１０ｂの２つの端末と、商品読取部３１と、ＰＯＳレジスタ４０とを含む代金精算システム１を提供する。商品読取部３１によるバーコードの読取前に、顧客が所有するＩＣカードを第１カード読取端末１０ａにかざすことによって、ＩＣカードに記録される電子マネー残高とサービスポイント残高がわかるので、第２カード読取端末１０ｂを用いた代金決済時において、電子マネー残高不足があるときにもスムーズに代金決済ができる。また、サービスポイント残高の有効利用も図られる。【選択図】      図１
2008009561.tif 000002
【特許請求の範囲】
【請求項１】
電子マネー残高およびサービスポイント残高が記録されたＩＣカードを用いて商品価格の合計金額を決済する代金精算システムであって、
前記ＩＣカードと通信して、ＩＣカードから前記電子マネー残高およびサービスポイント残高を読み取るカード読取部と、
前記カード読取部によって読み取られた前記電子マネー残高およびサービスポイント残高を表示するカード情報表示部と、
１または複数の購入商品に付された商品コードを読み取る商品読取部と、
前記商品読取部によって読み取られた商品コードに基づいて、商品価格の合計金額を算出して決済するＰＯＳレジスタとを含み、
前記ＰＯＳレジスタで決済する前に前記カード情報表示部によって電子マネー残高およびサービスポイント残高を表示可能であることを特徴とする代金精算システム。
【請求項２】
前記ＩＣカードと通信して、ＩＣカードの前記電子マネー残高およびサービスポイント残高の少なくとも一方を、前記ＰＯＳレジスタで算出された商品価格の合計金額の少なくとも一部を決済した残高に書き換えるカード書換部をさらに含むことを特徴とする請求項１記載の代金精算システム。
【請求項３】
前記ＩＣカードには、そのＩＣカードの所有者が会員であることを表す会員識別情報が前記カード読取部によって読取り可能に記録され、
前記商品読取部によって商品コードが読み取られたときに、商品価格を含む商品情報を表示する商品情報表示部をさらに含み、
前記商品情報表示部は、前記カード読取部によって会員識別情報が読み取られたとき、予め定められた商品については、会員向け商品情報を表示し、
前記ＰＯＳレジスタは、前記カード読取部によって会員識別情報が読み取られたとき、前記会員向け商品情報に含まれる商品価格を用いて商品価格の合計金額を算出することを特徴とする請求項１または２記載の代金精算システム。
【請求項４】
前記ＰＯＳレジスタは、前記カード読取部によって電子マネー残高およびサービスポイント残高が読み取られたとき、読み取られた電子マネー残高およびサービスポイント残高の少なくとも一方の残高と算出した商品価格の合計金額との差額を計算し、計算した差額を表示することを特徴とする請求項１〜３のいずれか１つに記載の代金精算システム。
【請求項５】
前記ＰＯＳレジスタは、ＩＣカードに電子マネーの入金額を入力するための入力部を備え、
前記カード書換部は、前記入力部によって入金額が入力されたとき、前記ＩＣカードの電子マネー残高を、前記入金額を追加した新たな電子マネー残高に書き換えることを特徴とする請求項２〜４のいずれか１つに記載の代金精算システム。
【請求項６】
前記カード読取部および前記カード書換部は、前記カード読取部による読み取り動作および前記カード書換部による書き換え動作を、並行して実行可能であることを特徴とする請求項２〜５のいずれか１つに記載の代金精算システム。
【請求項７】
前記カード読取部と前記カード情報表示部とは、共通のハウジングに組み込まれていることを特徴とする請求項１〜６のいずれか１つに記載の代金精算システム。
【発明の詳細な説明】
【技術分野】
【０００１】
本発明は、電子マネー情報およびサービスポイント情報が格納されているＩＣカードを用い、ＰＯＳレジスタと連動して商品購入の決済を行う代金精算システムに関する。
【背景技術】
【０００２】
ＩＣ（Integrated Circuit）カードは、名刺サイズのプラスチック製のカードに演算および記憶機能をもったＩＣチップが埋め込まれたものである。ＩＣカードは、磁気カードに比べて大量のデータを記録することができるので、１枚のＩＣカードの中に複数のアプリケーション情報を格納させて、外部の端末との間で情報の送受信を行うことができる（たとえば、特許文献１参照）。また、ＩＣカードは、磁気カードに比べて偽造が困難なので、貨幣価値を表す電子マネーの情報を格納することによって決済手段として利用されている。
【０００３】
電子マネー機能を有するＩＣカード（以下「電子マネーカード」という）をＰＯＳ
（Point Of Sales System）レジスタと連動して用いると、商品購入時の支払いをＩＣカードに記録された電子マネーによって行うことができる。クレジットカードを用いた決済システムでは、決済データを集中管理しているが、電子マネーカードを用いた決済システムでは、決済データを集中管理せず、その場で即時決済を行うので、簡単な装置で素早く決済が行える。
【０００４】
さらに、商品の購入金額に応じてサービスポイントを付与するポイントカードを発行している販売店では、電子マネーカードにポイントカードの機能を付加して、より利便性の高いサービスを提供している。
【０００５】
電子マネーカードとＰＯＳレジスタとを連動させた代金精算システムにおいては、ＩＣカードを読取端末にかざすことによって情報のやり取りを行う非接触型のＩＣカードが、より早く簡単に決済ができるために便利である。非接触型ＩＣカードは、ＩＣチップとともにアンテナがカードに埋め込まれたものであり、外部の読取端末が発信する電波を利用して通信を行うとともに、ＩＣチップの駆動に必要な電力もその電波から得ている。
【０００６】
【特許文献１】特開平１１−２７２８０９号公報
【発明の開示】
【発明が解決しようとする課題】
【０００７】
しかしながら、電子マネーカードおよびポイントカードの機能を有するＩＣカードを用いて代金精算を行う場合には、ＩＣカード自体に表示機能がないため次のような不便が発生する。
【０００８】
電子マネーによって決済を行う場合には、顧客は、代金を決済する時点まで、電子マネーの残高がわからない。たとえばスーパーマーケットの例では、商品を購入する顧客は、ＰＯＳレジスタによる精算を待つ列に並び、バーコードリーダによって商品コードの入力が終わって、いざ代金を支払う時点で電子マネーの残高不足がわかると、その時点から残高不足に対処しなければならない。その結果、代金精算のための時間が長くかかることになる。また、精算を待つ他の顧客にとっても待ち時間が長くなるので、顧客が多いときには行列が長く続くことになる。
【０００９】
また、ポイントカードについても、顧客は、決済の時点までポイント残高がわからないので、ポイント利用のタイミングを逸してしまい、顧客サービスが有効に使われないという不都合が生じる。
【００１０】
本発明の目的は、電子マネーカードおよびポイントカードの機能を有するＩＣカードとＰＯＳレジスタとを連動させた代金精算システムであって、代金精算を円滑に行うようにすることができ、ポイントサービスなどの顧客サービスが有効に活用されるような代金精算システムを提供することである。
【課題を解決するための手段】
【００１１】
本発明は、電子マネー残高およびサービスポイント残高が記録されたＩＣカードを用いて商品価格の合計金額を決済する代金精算システムであって、
前記ＩＣカードと通信して、ＩＣカードから前記電子マネー残高およびサービスポイント残高を読み取るカード読取部と、
前記カード読取部によって読み取られた前記電子マネー残高およびサービスポイント残高を表示するカード情報表示部と、
１または複数の購入商品に付された商品コードを読み取る商品読取部と、
前記商品読取部によって読み取られた商品コードに基づいて、商品価格の合計金額を算出して決済するＰＯＳレジスタとを含み、
前記ＰＯＳレジスタで決済する前に前記カード情報表示部によって電子マネー残高およびサービスポイント残高を表示可能であることを特徴とする代金精算システムである。
【００１２】
また本発明は、前記ＩＣカードと通信して、ＩＣカードの前記電子マネー残高およびサービスポイント残高の少なくとも一方を、前記ＰＯＳレジスタで算出された商品価格の合計金額の少なくとも一部を決済した残高に書き換えるカード書換部をさらに含むことを特徴とする。
【００１３】
また本発明は、前記ＩＣカードには、そのＩＣカードの所有者が会員であることを表す会員識別情報が前記カード読取部によって読取り可能に記録され、
前記商品読取部によって商品コードが読み取られたときに、商品価格を含む商品情報を表示する商品情報表示部をさらに含み、
前記商品情報表示部は、前記カード読取部によって会員識別情報が読み取られたとき、予め定められた商品については、会員向け商品情報を表示し、
前記ＰＯＳレジスタは、前記カード読取部によって会員識別情報が読み取られたとき、前記会員向け商品情報に含まれる商品価格を用いて商品価格の合計金額を算出することを特徴とする。
【００１４】
また本発明は、前記ＰＯＳレジスタは、前記カード読取部によって電子マネー残高およびサービスポイント残高が読み取られたとき、読み取られた電子マネー残高およびサービスポイント残高の少なくとも一方の残高と算出した商品価格の合計金額との差額を計算し、計算した差額を表示することを特徴とする。
【００１５】
また本発明は、前記ＰＯＳレジスタは、ＩＣカードに電子マネーの入金額を入力するための入力部を備え、
前記カード書換部は、前記入力部によって入金額が入力されたとき、前記ＩＣカードの電子マネー残高を、前記入金額を追加した新たな電子マネー残高に書き換えることを特徴とする。
【００１６】
また本発明は、前記カード読取部および前記カード書換部は、前記カード読取部による読み取り動作および前記カード書換部による書き換え動作を、並行して実行可能であることを特徴とする。
【００１７】
また本発明は、前記カード読取部と前記カード情報表示部とは、共通のハウジングに組み込まれていることを特徴とする。
【発明の効果】
【００１８】
本発明によれば、カード読取部によって読み取られた電子マネー残高およびサービスポイント残高が、カード情報表示部によって表示されてから、ＰＯＳレジスタによって商品価格の合計金額の決済が可能なように、代金精算システムは構成される。したがって、ＩＣカードを利用して商品を購入する顧客は、購入商品の合計金額の決済を行う前に、電子マネー残高が十分にあるか否かと、利用可能なサービスポイントがあるか否かを確認できるので、電子マネー残高に不足がある場合にも速やかに対処でき、また、ポイント利用の意思決定をする時間が得られて、ポイントを利用し易くなる。結果として、代金精算が円滑に行われ、また、サービスポイントという販売促進のための仕組みが有効に活用されることになる。
【００１９】
また本発明によれば、代金精算システムは、ＩＣカードと通信するための端末として、前記カード読取部とは別に決済用のカード書換部を有するので、前述のように、顧客は、カード読取部によるＩＣカードの読み取りによって電子マネー残高とサービスポイント残高を予め確認した上で、カード書換部によってＩＣカードの内容を書き換えることにより、速やかに商品価格の合計金額の決済ができる。決済用のカード書換部のみを有する代金精算システムでは、決済を行うときに初めて、電子マネー残高とサービスポイント残高とが顧客に知らされることになるので、たとえば電子マネー残高不足が生じたときに処理に時間がかかるのに対し、予めＩＣカードの内容が顧客に知らされる本発明の代金精算システムではこのような不都合がない。したがって、代金精算が円滑に行われるとともに、サービスポイントの有効利用も図られることになる。
【００２０】
また本発明によれば、カード読取部によって、顧客の所有するＩＣカードに会員識別情報が記録されていることが読み取られた場合は、商品読取部によって商品に付された商品コードが読み取られたときに、商品情報表示部によって会員向けの商品情報が表示される。顧客は商品情報表示部に表示される商品価格を注意して見ていることが通常であるので、商品情報表示部によって表示される会員向けの商品情報は訴求力が大きく、会員制度という販売促進のための仕組みが有効に活用されることになる。
【００２１】
また本発明によれば、カード書換部による代金決済の前に、ＰＯＳレジスタが、カード読取部によって読み取られた電子マネー残高およびサービスポイント残高と、商品価格の合計金額との差額を計算して表示することができる。この結果、電子マネー残高不足が生じている場合に、ＰＯＳレジスタの操作者は、代金決済のためにカード書換部によってＩＣカードの情報を読み取る前に、残高不足について顧客に通知することができるので、代金精算のための処理時間が短縮される。また、顧客自らも、カード書換部による代金決済の前に電子マネー残高の不足について認識できるので、速やかな対応が可能になる。
【００２２】
さらに、ＰＯＳレジスタの操作者は、カード書換部による代金決済の前に、顧客にサービスポイントの利用についての希望を訊くことができ、また、顧客自身もサービスポイントの利用について意志決定の時間が得られる。この結果、顧客は販売促進の仕組みであるサービスポイントを利用しやすくなり、また、ＰＯＳレジスタの操作者にとっても、カード書換部によってＩＣカードの情報を読み取った後に、改めてポイント利用の意思を顧客に確認する必要がないので、代金精算のための処理時間が短縮される。
【００２３】
また本発明によれば、カード書換部による商品の代金決済のときに、ＩＣカードに電子マネーを入金することができるので、電子マネー残高不足が生じた場合にも、短時間で決済処理を行うことができる。
【００２４】
また本発明によれば、代金精算システムは、カード読取部による読み取り動作およびカード書換部による書き換え動作を、並行して実行可能であるので、商品コードの読み取りを済ませた顧客がカード書換部によって購入商品の決済処理をしているときに、カード読取部によって、代金精算を待つ次の顧客のＩＣカードに記録される情報を読み取ることができる。これによって、前の顧客が決済を完了するのを待たずに、次の顧客は、自己の所有するＩＣカードの情報を知ることができる。
【００２５】
また本発明によれば、カード読取部とカード情報表示部が共通のハウジングに組み込まれているので、全体としてコンパクトに構成され、商品読取部およびＰＯＳレジスタが設置されてスペースに余裕がない場合にも、わずかなスペースにカード読取部とカード情報表示部とを設置することができる。
【発明を実施するための最良の形態】
【００２６】
図１は、本発明の実施の一形態である代金精算システム１の模式的に示す図である。代金精算システム１は、顧客の所有するＩＣカードと通信するための第１および第２カード読取端末１０ａ，１０ｂ（総称するときは、カード読取端末１０と記載する）とカード読取端末１０を制御する本体制御装置２０と、商品に付された商品コードを読み取る商品読取装置３０と、ＰＯＳレジスタ４０とを含む。このうち、第１および第２カード読取端末１０ａ，１０ｂと本体制御装置２０とは、第１ケーブル５１および第２ケーブル５２を介してそれぞれ接続され、本体制御装置２０、ＰＯＳレジスタ４０、および商品読取装置３０の間は、それぞれ第３ケーブル５３および第４ケーブル５４を介して接続される。
【００２７】
商品読取装置３０は、精算すべき商品を載せる精算台６５の天板の長手方向の中央部６５ａに設けられる。ＰＯＳレジスタ４０は、精算台６５の天板の長手方向の一端部６５ｂに隣接するレジ載置台６６に設けられる。また、第１カード読取端末１０ａは、精算台６５の天板に、商品読取装置３０に近接して設置され、第２カード読取端末１０ｂは、前記レジ載置台６６の天板の、精算台６５寄りに設置される。
【００２８】
以下、代金精算システム１を用いる基本的な代金精算の流れについて説明する。ここで、本実施の形態では、顧客の所有するＩＣカードが非接触型のＩＣカードである場合について説明する。カード読取端末１０とＩＣカードとの間の情報のやり取りは、カード読取端末１０にＩＣカードをかざして近接させることによって可能になる。また代金精算システム１が設けられる販売店は、非接触型のＩＣカードに、電子マネー残高、その販売店の会員であること示す会員識別情報、およびサービスポイント残高がデータとして記録される会員カードを発行しているとする。サービスポイントは、商品の購入金額に応じて顧客に与えられるもので、現金に換算可能であり、サービスポイントを利用可能な販売店での商品の購入に使用できる。本実施の形態では、サービスポイントは会員にのみ付与されるものとする。
【００２９】
図１において、商品を購入しようとする顧客６１は、先ず、購入する商品を入れた買い物かご（図示省略）を、精算台６５の天板の前記長手方向の他端部６５ｃ側に載せる。その後、顧客６１が、自己の所有する会員カードを第１カード読取端末１０ａにかざすと、第１カード読取端末１０ａは、その会員カードに記録されている電子マネー残高、会員識別情報およびサービスポイント残高を読み取る。第１カード読取端末１０ａによって読み取られた会員カードの情報は、本体制御装置２０によってＰＯＳレジスタ４０に送信される。
【００３０】
第１カード読取端末１０ａに設けられるカード情報表示部１２ａは、読み取られた電子マネー残高とサービスポイント残高を表示する。したがって、顧客は電子マネー残高が十分か否かと、利用可能なサービスポイントがあるかどうかを確認することができる。また、ＰＯＳレジスタ４０には、店員用の表示装置４５ａと顧客用の表示装置４５ｂとが設けられ、店員用の表示装置４５ａには、読み取られた電子マネー残高とサービスポイント残高が表示される。店員６３は、ＰＯＳレジスタ４０の表示装置４５ａに表示される電子マネー残高とサービスポイント残高を見て、顧客６１に電子マネーの入金およびサービスポイントの利用について案内することができる。
【００３１】
次に、商品読取装置３０に設けられる商品読取部３１を用いて店員６３は、顧客６１の購入する商品に付された商品コードの読み取りを行う。読み取られた商品コードに基づいて、商品の種類および価格が商品読取装置３０に設けられる商品情報表示部３２に表示される。このとき、第１カード読取端末１０ａによる読み取り結果から、顧客６１が会員であることが確認されているので、前記商品情報表示部３２は、会員のみに適用される会員価格など訴求力のある会員向け商品情報を表示する。
【００３２】
顧客が購入する全ての購入商品の商品コードの読み取りが完了すると、ＰＯＳレジスタ４０の表示装置４５ａ，４５ｂによって、商品の合計金額とともに、電子マネー残高およびサービスポイント残高が表示され、さらに、商品価格の合計金額と電子マネー残高およびサービスポイント残高の合計金額との差額が表示される。
【００３３】
店員６３は、ＰＯＳレジスタ４０の店員用の表示装置４５ａに表示される情報を見て、電子マネー残高不足の有無と、利用可能なサービスポイントの有無とを確認することができるので、顧客６１に、電子マネーの入金、およびサービスポイントの利用について直ちに訊ねることができる。また、顧客６１も、ＰＯＳレジスタ４０の顧客用の表示装置４５ｂに表示される情報を見ることによって、決済方法の選択およびサービスポイントの利用について素早く意思決定できる。
【００３４】
電子マネーによって決済する場合には、顧客６１が会員カードを第２カード読取端末１０ｂにかざすことによって、顧客６１の会員カードの電子マネー残高から商品購入の代金が差し引かれる。このとき、電子マネー残高が不足しているときには、会員カードに電子マネーの入金をしてから代金決済を行うことができる。代金決済された後に、購入代金に応じたサービスポイントが顧客６１の会員カードに加算されて、代金精算が完了する。
【００３５】
このように第１カード読取端末１０ａによって、購入商品の商品コードの読み取りの前に、予め顧客の所有するＩＣカードに記録された情報を読み取っておくことによって、一連の精算処理が円滑になり、処理時間の短縮につながるとともに、販売促進用のポイントサービスが有効に活用され、さらに会員向けの商品価格などの表示によって顧客に満足感を与えることができて販売促進が図られる。
【００３６】
図２は、図１に示す代金精算システム１の構成を示すブロック図である。前述のとおり、代金精算システム１は、第１および第２カード読取端末１０ａ，１０ｂ、本体制御装置２０、商品読取装置３０およびＰＯＳレジスタ４０を含む。以下、代金精算システム１の各構成について説明する。
【００３７】
先ず、第１および第２カード読取端末１０ａ，１０ｂについて説明する。
第１カード読取端末１０ａと第２カード読取端末１０ｂとは、同一の構成を有し、カード通信部１１と、カード情報表示部１２とをそれぞれ備える。
【００３８】
カード通信部１１は、データの送受信用のアンテナ部１３と、データの変調、復調、符号化および復号などの信号処理を行う回路である信号処理部１４とを含み、信号処理部１４が本体制御装置２０の後述する制御部２１に接続される。具体的な信号の流れは、ＩＣカードからアンテナ部１３を介して受信した入力信号は、信号処理部１４で復調され復号された後、本体制御装置２０の制御部２１へ送られる。反対に本体制御装置２０から与えられた出力信号は、信号処理部１４で符号化され変調された後、アンテナ部１３を介してＩＣカードに送信される。
【００３９】
カード通信部１１、カード情報表示部１２、アンテナ部１３および信号処理部１４について、第１カード読取端末１０ａに備えられるものの参照符号に添え字「ａ」を付し、第２カード読取端末１０ｂに備えられるものの参照符号に添え字「ｂ」を付して区別する場合がある。また、第１カード読取端末１０ａのカード通信部１１ａを、第１カード通信部１１ａと記載し、第２カード読取端末１０ｂのカード通信部１１ｂを、第２カード通信部１１ｂと記載する場合がある。
【００４０】
本実施の形態では、前記カード通信部１１は、ＩＣカードからのデータの読み込み、ＩＣカードへのデータの書き込みの両方の機能を有する。このうち、第１カード通信部１１ａは、専らＩＣカードに記録された情報を読み取るカード読取部として用いられる。一方、第２カード通信部１１ｂは、ＩＣカードに記録された情報の読み取りのほか、代金の決済のとき、ＩＣカードに記録されている情報を書き換えるカード書換部として用いられる。
【００４１】
カード読取端末１０のうちカード情報表示部１２は、液晶ディスプレイなどの表示装置を備え、本体制御装置２０の制御部２１に接続される。カード情報表示部１２は、制御部２１の制御に基づいて、後述する図４に示すように、カード通信部１１で読み取られた電子マネー残高およびサービスポイント残高の表示領域を含む残高情報表示画面７０を表示する。
【００４２】
次に、本体制御装置２０について説明する。
本体制御装置２０は、制御部２１と、ＰＯＳレジスタ４０に接続するための通信インターフェースである通信部２２とを含む。さらに、本体制御装置２０は、図示を省略した電源部を含み、電源部によって前記カード読取端末１０に電力が供給される。
【００４３】
本体制御装置２０のうち制御部２１は、前記信号処理部１４と接続され、カード読取端末１０にかざされたＩＣカードとの間のデータの送受信を制御する機能を有する。ここで、制御部２１は、第１カード通信部１１ａを介したデータの送受信と、第２カード通信部１１ｂを介したデータの送受信とが個別に制御されるように構成される。したがって、第２カード通信部１１ｂによって購入商品の代金決済が行われているときに、第１カード通信部１１ａによって、他の顧客の所有するＩＣカードの読み取りを並行して行うことができ、他の顧客は、決済中の顧客が決済を完了するのを待たずに、自己の所有するＩＣカードの情報を知ることができる。
【００４４】
また、前記制御部２１は、通信部２２を介して前記ＰＯＳレジスタ４０と接続され、カード通信部１１によって読み取られた情報をＰＯＳレジスタ４０に送信し、代金決済およびサービスポイント増減の指示をＰＯＳレジスタ４０から受信する機能を有する。代金決済およびサービスポイント増減の指示を受信した場合には、制御部２１は、この指示に基づいて、第２カード読取端末１０ｂにかざされたＩＣカードに記憶されている情報を書き換える。
【００４５】
さらに、前記制御部２１は、前記カード情報表示部１２と接続されて、カード通信部１１で読み取られた電子マネー残高およびサービスポイント残高の情報をカード情報表示部１２に表示させる機能を有する。また、図示しないが、カード読取端末１０にはスピーカおよび発光ダイオードが設けられ、制御部２１は、ＩＣカードの情報の読み取りおよび代金決済のための書き込みが行われたときに、前記スピーカおよび発光ダイオードを用いて、音と光によってカードの使用者に通知する機能を有する。
【００４６】
前述した制御部２１の各機能を実現するための構成として、制御部２１は、たとえば、第１および第２カード通信部１１ａ，１１ｂを個別に制御するための２個の制御ユニットと、ＰＯＳレジスタ４０との通信部２２を介した通信およびカード情報表示部１２などを制御するためのコントローラを含んで構成される。２個の制御ユニットとコントローラとは、それぞれマイクロプロセッサ、ならびにＲＯＭ（Read Only Memory）およびＲＡＭ
（Random Access Memory）などの内部メモリを備え、ＲＯＭに記憶された制御プログラムが実行されることによって、上記各機能が実現される。
【００４７】
次に、商品読取装置３０について説明する。
商品読取装置３０は、商品読取部３１と商品情報表示部３２とを含む。商品読取部３１および商品情報表示部３２は、ＰＯＳレジスタ４０の後述する制御部４１に接続される。商品に付された商品コードは、商品読取部３１によって読み取られ、読み取られた商品コードのデータはＰＯＳレジスタ４０の制御部４１に送信される。商品情報表示部３２は、液晶ディスプレイなどの表示装置を備え、ＰＯＳレジスタ４０の制御部４１からの指示に基づき、後述する図５に示すように、商品コードに対応する商品名および商品価格などの商品情報の表示領域を含む商品情報表示画面８０を表示する。
【００４８】
本実施の形態では、商品に付された商品コードとしてバーコードが用いられ、前記商品読取部３１は、バーコードを読み取るバーコードリーダとしてスキャナを備える。商品コードとして、バーコードの代わりにＲＦＩＤ（Radio Frequency Identification）タグを用いてもよく、この場合には、商品読取部３１は、アンテナが接続されたリーダによって構成される。
【００４９】
次に、ＰＯＳレジスタ４０について説明する。
ＰＯＳレジスタ４０は、商品毎の販売実績を集計する機能を備えた電子金銭登録機であって、制御部４１と、商品情報記憶部４２と、購入商品記憶部４３と、合計金額記憶部４４と、表示部４５と、入力部４６と、通信部４７とを含む。ＰＯＳレジスタ４０は、図示を省略したマイクロプロセッサ、ＲＯＭおよびＲＡＭ、ならびにハードディスク装置などの外部記憶装置を備えるコンピュータを基盤に構築され、ＲＯＭおよび外部記憶装置に記憶された制御プログラムが実行されることによって、コンピュータを、制御部４１、商品情報記憶部４２、購入商品記憶部４３、合計金額記憶部４４、表示部４５、入力部４６および通信部４７として機能させる。
【００５０】
制御部４１は、商品読取装置３０、ならびに、ＰＯＳレジスタ４０の商品情報記憶部４２、購入商品記憶部４３、合計金額記憶部４４、表示部４５、入力部４６および通信部４７を制御する。また、制御部４１は、商品価格を積算して合計金額を算出するとともに、本体制御装置２０から電子マネー残高およびサービスポイント残高を受信しているときには、合計金額とこれら残高との差額を計算したり、商品の購入価格に基づいてサービスポイントを計算したりする。
【００５１】
商品情報記憶部４２は、商品に付されたバーコードに対応づけて、商品名および商品価格などの商品情報を記憶している。さらに、商品情報記憶部４２は、予め定める商品については、通常商品価格より割引かれた会員向けの会員価格、およびサービスポイントなどの会員向けの商品情報を記憶している。これら商品情報記憶部４２に記憶される商品情報は、前記商品読取部３１によって読み取られたバーコードに対応して、前記制御部４１によって読み出される。なお、ＰＯＳレジスタ４０は、本実施の形態ようにＰＯＳレジスタ４０単独で構成されるのではなく、サーバにネットワークを介して接続される複数の端末であるＰＯＳレジスタの１つとして構成されてもよい。この場合には、サーバ上に共通ファイルとして商品情報記憶部が設けられ、ＰＯＳレジスタ４０の制御部４１は、ネットワークを介してサーバに設けられる商品情報記憶部から商品情報を読み出す。
【００５２】
購入商品記憶部４３は、前記制御部４１の指示に基づき、前記商品読取部３１によって読み取られたバーコードに対応する商品名および商品価格などを記憶する。
【００５３】
合計金額記憶部４４は、顧客が購入する商品の商品価格の合計金額を記憶する。具体的には、前記商品読取部３１によってバーコードが読み取られると、前記制御部４１が、そのバーコードに対応する商品価格を前記商品情報記憶部４２から読み出して積算し、合計金額記憶部４４に記憶させる。第１カード通信部１１ａによって、顧客の所有するＩＣカードから会員識別情報が読み取られた場合には、通常商品価格よりも割り引かれた会員価格が予め定められた商品について、その会員価格が積算され、合計金額記憶部４４によって記憶される。
【００５４】
表示部４５は、液晶ディスプレイなどの表示装置４５ａ，４５ｂを備える。表示装置４５ａ，４５ｂには、ＰＯＳレジスタ４０の操作者である店員用の表示装置４５ａと、顧客用の表示装置４５ｂとが設けられる。後述する図７のように、表示部４５は、制御部４１によって計算された商品価格の合計金額の表示領域を含む合計金額表示画面９０ｂを表示する。第１カード通信部１１ａによって、顧客の所有するＩＣカードに記録される電子マネー残高およびサービスポイント残高が読み取られた場合には、表示部４５によって、商品価格の合計金額とＩＣカードに記録された残高との差額がさらに表示される。
【００５５】
入力部４６は、商品コードの読取終了の指示および代金の決済方法の指示など、ＰＯＳレジスタ４０への指示を入力したり、電子マネーの入金額などのデータを入力したりするためのものである。入力部４６は、各種入力キーが配列されたキーボードを備え、金額キーなどの各種入力キーが押下されるによってＰＯＳレジスタ４０への指示およびデータの入力が行われる。
【００５６】
通信部４７は、前記本体制御装置２０との間でデータを送受信するための通信インターフェースである。
【００５７】
図３は、図１および図２に示すカード読取端末１０の外観斜視図である。図３に示すカード読取端末１０は、アンテナ部１３が内蔵されたカードかざし部１１１を一表面に有し、非接触型のＩＣカードがこのカードかざし部１１１にかざされることによって、ＩＣカードとカード通信部１１との間でデータの送受信が行われる。カード情報表示部１２の液晶ディスプレイ１１２は、このカードかざし部１１１に設けられ、また信号処理部１４はハウジング内に組み込まれている。
【００５８】
このように、カード通信部１１とカード情報表示部１２とが、共通のハウジングに組み込まれることによって、カード読取端末１０は、全体としてコンパクトに構成されるので、前記商品読取装置３０およびＰＯＳレジスタ４０が設置されてスペースに余裕がない場合にも、わずかなスペースに２台のカード読取端末１０を設置することができる。
【００５９】
図４は、図１および図２に示す第１カード読取端末１０ａのカード情報表示部１２ａによって表示される残高情報表示画面７０の一例を示す図である。残高情報表示画面７０には、第１カード通信部１１ａによって読み取られたサービスポイント残高を表示する領域７１と、電子マネー残高であるカード残高を表示する領域７２とが含まれる。
【００６０】
図５は、図１および図２に示す商品読取装置３０の商品情報表示部３２によって表示される商品情報表示画面８０の一例を示す図である。商品情報表示画面８０には、商品読取部３１で読み取られた商品コードに基づいて、商品名を表示する領域８１と通常商品価格を表示する領域８２とが含まれる。さらに、第１カード通信部１１ａによって、顧客の所有するＩＣカードに記録される会員識別情報が読み取られたときに、会員向けの割引価格が設定された商品について、通常商品価格からの割引額を表示する領域８３と、割引後の会員価格を表示する領域８４とが含まれる。商品情報表示部３２によって表示される会員向けの商品情報は前記会員価格に限らず、サービスポイント率など、訴求力のある種々の情報であってよい。
【００６１】
図６は、図２に示すＰＯＳレジスタ４０の店員用の表示装置４５ａによって表示される残高情報表示画面９０ａの一例を示す図である。第１カード通信部１１ａによって、顧客の所有するＩＣカードに電子マネー残高およびサービスポイント残高が読み込まれたときは、前述のように、第１カード読取端末１０ａのカード情報表示部１２ａによって残高情報表示画面７０が表示されて、顧客は自己の所有するＩＣカードの残高情報を知ることができる。これに加えて、図６のように、ＰＯＳレジスタ４０の操作者である店員にもその残高情報を知らせるために、ＰＯＳレジスタ４０の表示装置４５ａに残高情報表示画面９０ａが表示される。
【００６２】
図６に示すように、残高情報表示画面９０ａには、サービスポイントとして利用可能なポイント残高を表示する領域９２ａと、電子マネー残高であるカード残高を表示する領域９３ａとが含まれる。残高情報表示画面９０ａには、顧客が購入する商品の合計金額を売上金額として表示する領域９１ａがさらに含まれるが、商品読取部３１によって購入商品に付された商品コードが読み取られる前の時点では、０（零）が表示される。
【００６３】
図７は、図１および図２に示すＰＯＳレジスタ４０の表示部４５によって表示される購入商品の合計金額表示画面９０ｂの一例を示す図である。合計金額表示画面９０ｂには、図６に示す残高情報表示画面９０ａと同様の、顧客が購入する商品の合計金額を売上金額として表示する領域９１ｂと、サービスポイントとして利用可能なポイント残高を表示する領域９２ｂと、電子マネー残高であるカード残高を表示する領域９３ｂとが含まれ、購入商品の商品価格の合計金額と顧客の所有するＩＣカードの残高との差額を表示する領域９４ｂがさらに含まれる。
【００６４】
図８は、図１および図２に示す代金精算システム１における代金精算処理の流れを示すフローチャートである。図８に示す代金精算処理は、商品を購入しようとする顧客が、代金精算のために第１カード読取端末１０ａのカードかざし部１１１へＩＣカードをかざすことによって開始される。
【００６５】
第１カード読取端末１０ａのカードかざし部１１１にＩＣカードがかざされて、ＩＣカードの応答を第１カード通信部１１ａが受け取ると（ステップａ１のＹＥＳ）、本体制御装置２０の制御部２１は、第１カード通信部１１ａにＩＣカードに記録されている情報を読み取らせる（ステップａ２）。本体制御装置２０の制御部２１は、読み取られた情報に会員識別情報が含まれているか否かを判断し（ステップａ３）、会員識別情報が記録されている場合には（ステップａ３のＹＥＳ）、ＰＯＳレジスタ４０の制御部４１に電子マネー残高とともに、サービスポイント残高および会員識別情報を送信する（ステップａ４）。ＰＯＳレジスタ４０の制御部４１では、会員カードであるというフラグを立てるなどして、この後のステップは、顧客が会員であるという条件のもとで行われることになる。さらに、ＰＯＳレジスタ４０の制御部４１は、第１カード読取端末１０ａのカード情報表示部１２ａに、図４に示す残高情報表示画面７０を表示させ、またＰＯＳレジスタ４０の表示部４５に、図６に示す残高情報表示画面９０ａを表示させる（ステップａ５）。
【００６６】
この結果、顧客は、第１カード読取端末１０ａのカード情報表示部１２ａによって表示される電子マネー残高およびサービスポイント残高を見ることによって、代金決済を行う前に、電子マネー残高が十分かどうか、利用可能なサービスポイントがあるか否かを知ることができる。したがって、決済の時点で、電子マネー残高不足に速やかに対処できるので、代金精算に要する時間が短縮化されるとともに、ポイント利用の意思決定をする時間が得られ、サービスポイントを利用しやすくなる。また、販売店の店員は、ＰＯＳレジスタ４０の表示装置４５ａに表示される残高情報表示画面９０ａを見て、顧客に電子マネー残高の入金およびサービスポイントの利用について案内することができるので、円滑な精算処理が可能になる。
【００６７】
次に、販売店の店員は、購入商品に付されたバーコードの読み取りを行う。このとき、商品読取部３１であるスキャナによって、購入商品に付された商品コードであるバーコードが読み取られると（ステップａ６）、ＰＯＳレジスタ４０の制御部４１は、読み取られたバーコードに対応する商品名および商品価格を商品情報記憶部４２から読み出して、購入商品記憶部４３に会員識別情報と対応付けて記憶させるともに、商品価格を積算して合計金額記憶部４４に記憶させる（ステップａ７）。このとき、予め会員向けの会員価格が定められた商品については、会員価格で記憶され積算される。また、ＰＯＳレジスタ４０の制御部４１は、商品読取装置３０の商品情報表示部３２に、図５に示す商品情報表示画面８０を表示させる（ステップａ８）。
【００６８】
したがって、顧客は、商品読取部３１によって商品に付されたバーコードが読み取られるときに、商品価格表示部３２が表示する商品情報表示画面８０によって、訴求力のある会員向け商品情報を認識することになり、販売促進が図られる。
【００６９】
販売店の店員によって、全ての購入商品についてバーコードの読み取りが行われる間、商品読取部３１による商品の読み取り（ステップａ６）と、ＰＯＳレジスタ４０による購入商品の記憶および商品価格の積算（ステップａ７）と、商品情報表示部３２による商品情報の表示（ステップａ８）とが繰り返されることになる（ステップａ９のＮＯ）。
【００７０】
ＰＯＳレジスタ４０の入力部４６によって商品コードの読取終了の指示が入力されると（ステップａ９のＹＥＳ）、ＰＯＳレジスタ４０の制御部４１は、購入商品の合計金額とカードに記録される残高との差額を計算する（ステップａ１０）。計算結果は、ＰＯＳレジスタ４０の表示部４５によって、図７に示す合計金額表示画面９０ｂとして表示される（ステップａ１１）。
【００７１】
したがって、販売店の店員であるＰＯＳレジスタ４０の操作者は、ＰＯＳレジスタ４０の表示装置４５ａに表示される前記画面９０ｂを見て、代金決済のためにＩＣカードを第２カード読取端末１０ｂにかざす前に、電子マネー残高に不足がないかどうかと、利用可能なサービスポイントがあるかどうかとを知ることになる。また、顧客もＰＯＳレジスタ４０の表示装置４５ｂに表示される前記画面９０ｂを見て、電子マネー残高不足の有無と、利用可能なサービスポイント残高を確認することができる。
【００７２】
このとき、電子マネー残高不足が生じている場合には、ＰＯＳレジスタ４０の操作者は、代金決済の前に、残高不足について顧客に通知することができ、顧客も自ら残高不足を認識することができるので、スムーズな決済処理が可能になる。また、利用可能なサービスポイントがある場合には、ＰＯＳレジスタ４０の操作者は、代金決済の前に顧客にサービスポイントの利用についての案内することができ、顧客自らも合計金額表示画面９０ｂを見て確認できるので、サービスポイントを有効に利用することができる。
【００７３】
合計金額が表示された（ステップａ１１）後は、後述する決済処理に移り（ステップａ１２）、代金精算処理が完了する。
【００７４】
前述したステップａ３で、第１カード通信部１１ａによって読み取られたＩＣカードに会員識別情報が記録されていない場合には（ステップａ３のＮＯ）、ＰＯＳレジスタ４０の制御部４１には、電子マネー残高が送信されるが（ステップａ１３）、会員識別情報および会員に付与されるサービスポイントの残高は送信されない。したがって、ＰＯＳレジスタ４０におけるこの後のステップａ１３〜ａ２０は顧客が会員でないという条件の下で行われることになる。
【００７５】
この後、ＰＯＳレジスタ４０の制御部４１は、第１カード読取端末１０ａのカード情報表示部１２ａに、図４に示す残高情報表示画面７０のうちの電子マネー残高のみを表示させ、またＰＯＳレジスタ４０の表示部４５に、図６に示す残高情報表示画面９０ａのうちサービスポイント残高を除いた情報を表示させる（ステップａ１４）。続いて、販売店の店員によって、購入商品についてバーコードの読み取りが行われる間、商品読取部３１による商品の読み取り（ステップａ１５）と、ＰＯＳレジスタ４０による購入商品の記憶および商品価格の積算（ステップａ１６）と、商品情報表示部３２による商品情報の表示（ステップａ１７）とが繰り返される（ステップａ１８のＮＯ）。ステップａ１６，ａ１７において、商品価格は会員を除く顧客に適用される通常価格になる。
【００７６】
ＰＯＳレジスタ４０の入力部４６によって商品コードの読取終了の指示が入力されると（ステップａ１８のＹＥＳ）、ＰＯＳレジスタ４０の制御部４１は、購入商品の合計金額とカードに記録される電子マネー残高との差額を計算し（ステップａ１９）、ＰＯＳレジスタ４０の表示部４５に、図７に示す合計金額表示画面９０ｂのうちサービスポイント残高を除いて表示させる（ステップａ２０）。その後、後述する決済処理に移り（ステップａ１２）、代金精算処理が完了する。
【００７７】
前述したステップａ１で、第１カード通信部１１ａによってＩＣカードの応答が検知されない場合には（ステップａ１のＮＯ）、商品読取部３１による商品の読み取り（ステップａ２１）と、ＰＯＳレジスタ４０による購入商品の記憶および商品価格の積算（ステップａ２２）と、商品情報表示部３２による商品情報の表示とは（ステップａ２３）、顧客が会員でないという条件の下で繰り返され（ステップａ２４のＮＯ）、商品価格には通常価格が用いられる。ＰＯＳレジスタ４０の入力部４６によって商品コードの読取終了の指示が入力されると（ステップａ２４のＹＥＳ）、購入商品の商品価格の合計金額が表示され（ステップａ２５）、後述する決済処理に移り（ステップａ１２）、代金精算処理が完了する。
【００７８】
図９は、図８に示す代金精算処理の流れのうち決済処理（ステップａ１２）を詳細に示すフローチャートである。代金決済処理は、ＰＯＳレジスタ４０の表示部４５によって、購入商品の商品価格の合計金額などが表示された後に、代金の決済方法が入力されると開始する（ステップｂ１）。このとき、決済方法は、（ｉ）電子マネーとサービスポイントとの両方によって決済する場合（ステップｂ１がＮＯ、かつステップｂ２がＹＥＳ）、（ｉｉ）サービスポイントを利用せずに電子マネーによって決済する場合（ステップｂ１がＮＯ、かつステップｂ２がＮＯ）、（ｉｉｉ）サービスポイントを利用して現金によって決済する場合（ステップｂ１がＹＥＳ、かつステップｂ２０がＹＥＳ）、および（ｉｖ）サービスポイントを利用せずに現金によって決済する場合（ステップｂ１がＹＥＳ、かつステップｂ２０がＮＯ）の４つの場合に分かれる。
【００７９】
これらの決済方法は、ＰＯＳレジスタ４０の入力部４６に備えられる決済方法を入力するための入力キーを押下することによって入力される。円滑な決済処理を行うために、利用可能なサービスポイントがあれば、サービスポイントを必ず利用するように（ステップｂ２のＹＥＳ）、ＰＯＳレジスタ４０の制御部４１によって制御してもよい。
【００８０】
先ず、（ｉ）ＰＯＳレジスタ４０の入力部４６によって、電子マネー決済（ステップｂ１のＮＯ）、かつサービスポイント利用（ステップｂ２のＹＥＳ）という指示が入力された場合は、代金決済にＩＣカードを用いることになるので、第２カード読取端末１０ｂのカードかざし部１１１にＩＣカードがかざされるまでの間、第２カード通信部１１ｂはＩＣカードの応答待ちの状態になる（ステップｂ３のＮＯ）。
【００８１】
ＩＣカードからの応答を第２カード通信部１１ｂが受け取ると（ステップｂ３のＹＥＳ）、本体制御装置２０の制御部２１は、第２カード通信部１１ｂにＩＣカードに記録されている電子マネー残高、サービスポイント残高、および会員識別情報を読み取らせる。読み取られたＩＣカードの情報は、本体制御装置２０の制御部２１によって、ＰＯＳレジスタ４０の制御部４１に送信される（ステップｂ４）。ＰＯＳレジスタ４０の制御部４１では、電子マネー残高およびサービスポイント残高の合計と購入商品価格の合計金額とを比較し（ステップｂ５）、カードの残高の合計が商品価格の合計金額以上であると判断した場合には（ステップｂ５のＹＥＳ）、全額カード決済処理（ステップｂ９）に移る。
【００８２】
全額カード決済処理（ステップｂ９）では、ＰＯＳレジスタ４０の制御部４１から本体制御装置２０の制御部２１に決済額が送信され、本体制御装置２０の制御部２１の指示に基づき、第２カード通信部１１ｂによって、ＩＣカードに記録される電子マネー残高およびサービスポイント残高が決済額を差し引いた残高に書き換えられる。すなわち、ＩＣカードのサービスポイント残高は決済に充当されるために０（零）に書き換えられ、サービスポイントの充当分を除く残余の代金分がＩＣカードの電子マネー残高から差し引かれる。
【００８３】
次の代金決済後のポイント付与処理（ステップｂ１１）では、本体制御装置２０の制御部２１の指示に基づき、顧客のＩＣカードがサービスポイント残高の記録された会員カードの場合に、購入商品に応じたサービスポイントが加算される。具体的には、付加すべきサービスポイント数は、ＰＯＳレジスタ４０の制御部４１によって、商品購入に基づいて計算され、本体制御装置２０の制御部２１に送信される。第２カード通信部１１ｂは、ＩＣカードに記録されるサービスポイント残高を、ＰＯＳレジスタ４０の制御部４１から受信したサービスポイント数を加算した残高に書き換える。以上によって、決済処理は終了する。
【００８４】
前述したステップｂ５で、ＰＯＳレジスタ４０の制御部４１が、電子マネー残高およびサービスポイント残高の合計が購入商品価格の合計金額に満たないと判断した場合で（ステップｂ５のＮＯ）、ＰＯＳレジスタ４０の入力部４６によって、追加入金を行うという指示が入力された場合には（ステップｂ６のＹＥＳ）、入力部４６によって入金額が入力される（ステップｂ７）。入金額の入力は、ＰＯＳレジスタ４０の操作者が入力部４６に備えられる金額を入力するための金額キーを押下することによって行われる。入力された入金額のデータはＰＯＳレジスタ４０の制御部４１から本体制御装置２０の制御部２１へ送信され、本体制御装置２０の制御部２１の指示に基づき、第２カード通信部１１ｂによって、ＩＣカードに記録される電子マネー残高が入金額の加算された残高に書き換えられる追加入金処理（ステップｂ８）が行われる。次いで、前述した全額カード決済処理（ステップｂ９）と、ポイント付与処理（ステップｂ１１）とが行われて、決済処理は終了する。
【００８５】
上記のように、第１カード通信部１１ａによって読み取られたＩＣカードの情報を用いることによって、代金決済の前のバーコード読み取り終了時点でカードの残高の不足が判明しているので、第２カード読取端末１０ｂによる商品の代金決済のときに、ＩＣカードへの電子マネーの入金を合わせて速やかに行うことができ、一連の代金精算処理に要する時間を短縮化することができる。ここで、電子マネー残高不足のために追加入金が必要なときには、入力キーの操作によらず電子マネーの入金処理に移るように（ステップｂ６のＹＥＳ）、ＰＯＳレジスタ４０の制御部４１によって制御してもよく、より円滑な精算処理が可能になる。
【００８６】
さて、上記決済処理のステップｂ６において、追加入金しないとの指示が入力された場合には（ステップｂ６のＮＯ）、一部カード決済処理（ステップｂ１０）が行われる。一部カード決済処理（ステップｂ１０）では、本体制御装置２０の制御部２１の指示に基づき、第２カード通信部１１ｂによって、ＩＣカードに記録される電子マネー残高およびサービスポイント残高が、両方とも一部カード決済後の残高である０（零）に書き換えられる。商品の購入金額から電子マネー残高およびサービスポイント残高を差し引いた残余の額については、ＰＯＳレジスタ４０の入力部４６によって現金決済完了の指示が入力されることによって決済が完了する。一部カード決済処理（ステップｂ１０）の後、前述したポイント付与処理（ステップｂ１１）が行われて、決済処理は終了する。
【００８７】
次に、（ｉｉ）ＰＯＳレジスタ４０の入力部４６によって、電子マネー決済（ステップｂ１のＮＯ）、かつサービスポイント非利用（ステップｂ２のＮＯ）という指示が入力された場合の処理の流れは、前述したサービスポイントを利用する場合のステップｂ３〜ｂ１０と同様である。
【００８８】
概略を説明すると、第２カード通信部１１ｂは、ＩＣカードの応答待ちの状態で（ステップｂ１２のＮＯ）、ＩＣカードからの応答を受け取ると（ステップｂ１２のＹＥＳ）、ＩＣカードに記録される情報を読み取り、読み取られた情報は、本体制御装置２０の制御部２１によって、ＰＯＳレジスタ４０の制御部４１に送信される（ステップｂ１３）。そして、ＰＯＳレジスタ４０の制御部４１によって、電子マネー残高が購入商品価格の合計金額以上であると判断された場合には（ステップｂ１４のＹＥＳ）、全額カード決済処理（ステップｂ１８）が行われる。全額カード決済処理（ステップｂ１８）では、第２カード通信部１１ｂによって、ＩＣカードの電子マネー残高は、ＰＯＳレジスタ４０の制御部４１から送信された決済金額を差し引いた電子マネー残高に書き換えられる。その後、前述したポイント付与処理（ステップｂ１１）が行われて代金決済が終了する。
【００８９】
前述のステップｂ１４で、電子マネー残高が購入商品価格の合計金額に満たないと判断され（ステップｂ１４のＮＯ）、追加入金の指示が入力された場合には（ステップｂ１５のＹＥＳ）、入金額の入力後（ステップｂ１６）、前述したステップｂ８と同様の追加入金処理（ステップｂ１７）が行われる。続いて、前述した全額カード決済処理（ステップｂ１８）と、ポイント付与処理（ステップｂ１１）とが行われて、決済処理は終了する。
【００９０】
前述のステップｂ１５で、追加入金しないとの指示が入力された場合には（ステップｂ１５のＮＯ）、一部カード決済処理（ステップｂ１９）に移る。一部カード決済処理（ステップｂ１９）では、電子マネー残高のみが決済後の残高である０（零）に書き換えられる。この後、前述したポイント付与処理（ステップｂ１１）が行われて、決済処理は終了する。
【００９１】
次に、（ｉｉｉ）ＰＯＳレジスタ４０の入力部４６によって、現金決済（ステップｂ１のＹＥＳ）、かつサービスポイント利用（ステップｂ２０のＹＥＳ）との指示が入力された場合について説明する。
【００９２】
この（ｉｉｉ）の場合、第２カード通信部１１ｂは、ＩＣカードの応答待ちの状態で（ステップｂ２１のＮＯ）、ＩＣカードからの応答を受け取ると（ステップｂ２１のＹＥＳ）、ＩＣカードに記録される情報を読み取り、読み取られた情報は、本体制御装置２０の制御部２１によって、ＰＯＳレジスタ４０の制御部４１に送信される（ステップｂ２２）。この後、ＰＯＳレジスタ４０の制御部４１によって、サービスポイント残高が購入商品価格の合計金額以上であると判断された場合には（ステップｂ２３のＹＥＳ）、代金決済額全額にサービスポイントが充当される（ステップｂ２４）。すなわち、本体制御装置２０の制御部２１は、ＩＣカードのサービスポイント残高が、ＰＯＳレジスタ４０の制御部４１から受信した決済金額を差し引いたサービスポイント残高になるように、第２カード通信部１１ｂに書き換えさせる。さらに、前述したポイント付与処理（ステップｂ１１）が行われて、決済処理は終了する。
【００９３】
前述したステップｂ２３で、ＰＯＳレジスタ４０の制御部４１によって、サービスポイント残高が購入商品価格の合計金額未満であると判断された場合には（ステップｂ２３のＮＯ）、代金決済の一部にサービスポイントが充当され（ステップｂ２５）、残余の代金は現金決済処理される（ステップｂ２６）。すなわち、本体制御装置２０の制御部２１は、ＩＣカードのサービスポイント残高が０（零）になるように第２カード通信部１１ｂに書き換えさせ（ステップｂ２５）、ＰＯＳレジスタ４０の入力部４６によって現金決済完了の指示が入力されて（ステップｂ２６）、決済が完了する。この後、前述したポイント付与処理（ステップｂ１１）に移る。
【００９４】
次に、（ｉｖ）ＰＯＳレジスタ４０の入力部４６によって、現金決済（ステップｂ１のＹＥＳ）、かつサービスポイント非利用（ステップｂ２０のＮＯ）との指示が入力された場合は、ＰＯＳレジスタ４０の入力部４６によって、現金決済完了の指示が入力され（ステップｂ２７）、さらにサービスポイントを付加しないとの指示が入力されると（ステップｂ２８のＮＯ）、決済処理は終了する。
【００９５】
前述したステップｂ２８で、ＰＯＳレジスタ４０の入力部４６によって、サービスポイント付加の指示が入力された場合には（ステップｂ２８のＹＥＳ）、購入金額に応じたサービスポイントが付与される。この場合、本体制御装置２０の制御部２１の指示に基づき、第２カード通信部１１ｂは、ＩＣカードの応答待ちの状態を経て（ステップｂ２９のＮＯ）、ＩＣカードからの応答を受け取ると（ステップｂ２９のＹＥＳ）、前述したポイント付与処理（ステップｂ１１）が行われる。
【００９６】
上述の実施の形態は、本発明の例示に過ぎず、本発明の範囲内において構成を変更することができる。たとえば、本実施の形態では、顧客の所有するＩＣカードが非接触型のＩＣカードである場合について説明しているが、接触型のＩＣカードについても、カード通信部１１を接触型のＩＣカード用のリーダで構成することによって同様に適用することができる。また、ＩＣカードの代わりに、携帯電話機にＲＦアンテナとＩＣチップが内蔵された構成の場合にも同様に適用できる。
【００９７】
また、本実施の形態では、サービスポイントはその販売店の会員にのみ付与されるものとしているが、その販売店の会員でなくてもサービスポイントが付与されるとしてよい。この場合、図８のステップａ３において、本体制御装置２０の制御部２１によって、会員カードでないと判断された場合には（ステップａ３のＮＯ）、ステップａ１３において、ＰＯＳレジスタ４０の制御部４１には電子マネー残高とサービスポイント残高が送信される。またステップａ１４において、電子マネー残高とサービスポイント残高表示される。さらに、ステップａ１９において計算される差額は電子マネー残高およびサービスポイント残高の合計と購入商品の合計金額との差額になる。
【００９８】
また、本実施の形態では、電子マネー残高が不足のときの、入金額の入力は、ＰＯＳレジスタ４０の操作者によって、ＰＯＳレジスタ４０の入力部４６に備えられた金額キーを押下することによって行われるが、たとえば、ＩＣカードが電子マネーの機能の他に、クレジットカード機能を有しているときには、クレジットカードから自動的に入金するようにしてもよい。
【図面の簡単な説明】
【００９９】
【図１】本発明の実施の一形態である代金精算システム１を模式的に示す図である。
【図２】図１に示す代金精算システム１の構成を示すブロック図である。
【図３】図１および図２に示すカード読取端末１０の外観斜視図である。
【図４】図１および図２に示す第１カード読取端末１０ａのカード情報表示部１２ａによって表示される残高情報表示画面７０の一例を示す図である。
【図５】図１および図２に示す商品読取装置３０の商品情報表示部３２によって表示される商品情報表示画面８０の一例を示す図である。
【図６】図２に示すＰＯＳレジスタ４０の表示部４５によって表示される残高情報表示画面９０ａの一例を示す図である。
【図７】図１および図２に示すＰＯＳレジスタ４０の表示部４５によって表示される購入商品の合計金額表示画面９０ｂの一例を示す図である。
【図８】図１および図２に示す代金精算システム１における代金精算処理の流れを示すフローチャートである。
【図９】図８に示す代金精算処理の流れのうち決済処理を詳細に示すフローチャートである。
【符号の説明】
【０１００】
１  代金精算システム
１０ａ  第１カード読取端末
１０ｂ  第２カード読取端末
１１ａ  第１カード通信部
１１ｂ  第２カード通信部
１２ａ，１２ｂ  カード情報表示部
２０  本体制御装置
３０  商品読取装置
３１  商品読取部
３２  商品情報表示部
４０  ＰＯＳレジスタ
４５ａ，４５ｂ  表示装置
４６  入力部
【図１】
2008009561.tif 000003
【図２】
2008009561.tif 000004
【図３】
2008009561.tif 000005
【図４】
2008009561.tif 000006
【図５】
2008009561.tif 000007
【図６】
2008009561.tif 000008
【図７】
2008009561.tif 000009
【図８】
2008009561.tif 000010
【図９】
2008009561.tif 000011